(57)【要約】      （修正有）【課題】簡単な構成により積み重ね収納、使用に対応できるバスケットを提供する。【解決手段】上部が開口されたボックス形状のバスケット１０で、底面１１の周縁部に係止部２１，２２を有し、内側面１２の上部にバスケット１０を上方から重ねたときに係止部２１，２２の位置にあってこれを支持する複数の被係止部３２を有し、下側のバスケット１０の上部に上側のバスケット１０の下部が位置するように重なる第１状態となり、上側を第１状態から水平方向に１８０°回転させた状態で下側に重ねたときに、上側の係止部２１，２２を下側の下部まで挿入可能とする内側挿入部４１が内側面１２に形成され、上側の被係止部３２を下側の上部まで挿入可能とする外側挿入部５１，５２が外側面１３に形成され、下側の内底面１４に上側の底面１１が近づくように重なる第２状態となる。【選択図】図４
0003220337.tif 000002
【実用新案登録請求の範囲】
【請求項１】
上部が開口された平面視略長方形のボックス形状のバスケットであって、
底面の周縁部に、複数の係止部を有し、
内側面の上部に、前記バスケットを上方から重ねたときに複数の前記係止部の位置にあって該係止部を支持する複数の被係止部を有しており、
２つの前記バスケットを上下に積み重ねた際に、下側の前記バスケットの複数の前記被係止部の上に、上側の前記バスケットの複数の前記係止部が係止されて、下側の前記バスケットの上部に上側の前記バスケットの下部が位置するように重なる第１状態となるように構成されており、
上側の前記バスケットを前記第１状態から水平方向に１８０°回転させた状態で下側の前記バスケットに重ねたときに、
上側の前記バスケットの前記係止部を下側の前記バスケットの下部まで挿入可能とする内側挿入部が、前記内側面に形成されており、
上側の前記バスケットの前記被係止部を下側の前記バスケットの上部まで挿入可能とする外側挿入部が、外側面に形成されており、
上側の前記バスケットを前記第１状態から水平方向に１８０°回転させた状態で２つの前記バスケットの上下に積み重ねた際に、上側の前記バスケットの複数の前記係止部を前記バスケットの下部まで挿入させ、上側の前記バスケットの複数の前記被係止部を前記バスケットの上部まで挿入させて、下側の前記バスケットの内底面に上側の前記バスケットの前記底面が近づくように重なる第２状態となるように講成されていることを特徴とするバスケット。
【請求項２】
前記内側挿入部の下部に前記係止部が設けられており、
前記外側挿入部の上部に前記被係止部が設けられていることを特徴とする請求項１に記載のバスケット。
【請求項３】
長辺の前記内側面又は外側面の上部に、複数の別角度被係止部を有しており、
前記底面の短辺に沿った位置で、前記バスケットを前記第１状態から水平方向に９０°回転させた状態で上方から重ねたときに複数の前記別角度被係止部の位置にあって該別角度被係止部に支持される複数の別角度係止部を有しており、
上側の前記バスケットを前記第１状態から水平方向に９０°回転させた状態で２つの前記バスケットを上下に積み重ねた際に、下側の前記バスケットの複数の前記別角度被係止部の上に、上側の前記バスケットの複数の前記別角度係止部が係止されて、下側の前記バスケットの上部に上側の前記バスケットの下部が位置し、かつ互い違いに重なる第３状態となるように構成されたことを特徴とする請求項１又は２に記載のバスケット。
【請求項４】
２つの前記バスケットを前記第３状態で上下に積み重ねた際に、下側の前記バスケットの複数の前記別角度被係止部と上側の前記バスケットの複数の前記別角度係止部とが係止された状態で、上側の前記バスケットが短辺に沿った方向に所定量スライド移動するように構成されたことを特徴とする請求項３に記載のバスケット。
【考案の詳細な説明】
【技術分野】
【０００１】
本考案は、積み重ねて収納したり使用したりすることができるバスケットに関するものである。
【背景技術】
【０００２】
従来、省スペース化のため、上下に重ねて収納可能としたバスケットや、上下に重ねて使用可能としたバスケットが提案されている（例えば、特許文献１参照）。
【先行技術文献】
【特許文献】
【０００３】
【特許文献１】実開昭５８−８８３３３号公報
【考案の概要】
【考案が解決しようとする課題】
【０００４】
しかしながら、前記したような従来のバスケットでは、上下に積み重ねて使用する際に別の支持部材が必要である等、設置に煩雑な作業が必要であったり、別の支持部材で支持ために強度的にも不十分となり、バスケットに入れる重さが限られてしまう等の問題が生じていた。
【０００５】
そこで、この考案の課題は、簡単な構成によりバスケットのみで積み重ね収納にも積み重ね使用にも対応できるバスケットを提供することである。
【課題を解決するための手段】
【０００６】
かかる課題を解決するために、請求項１に記載の考案は、上部が開口された平面視略長方形のボックス形状のバスケットであって、底面の周縁部に、複数の係止部を有し、内側面の上部に、前記バスケットを上方から重ねたときに複数の前記係止部の位置にあって該係止部を支持する複数の被係止部を有しており、２つの前記バスケットを上下に積み重ねた際に、下側の前記バスケットの複数の前記被係止部の上に、上側の前記バスケットの複数の前記係止部が係止されて、下側の前記バスケットの上部に上側の前記バスケットの下部が位置するように重なる第１状態となるように構成されており、上側の前記バスケットを前記第１状態から水平方向に１８０°回転させた状態で下側の前記バスケットに重ねたときに、上側の前記バスケットの前記係止部を下側の前記バスケットの下部まで挿入可能とする内側挿入部が、前記内側面に形成されており、上側の前記バスケットの前記被係止部を下側の前記バスケットの上部まで挿入可能とする外側挿入部が、外側面に形成されており、上側の前記バスケットを前記第１状態から水平方向に１８０°回転させた状態で２つの前記バスケットの上下に積み重ねた際に、上側の前記バスケットの複数の前記係止部を前記バスケットの下部まで挿入させ、上側の前記バスケットの複数の前記被係止部を前記バスケットの上部まで挿入させて、下側の前記バスケットの内底面に上側の前記バスケットの前記底面が近づくように重なる第２状態となるように講成されているバスケットとしたことを特徴とする。
【０００７】
請求項２に係る考案は、請求項１に記載の構成に加えて、前記内側挿入部の下部に前記係止部が設けられており、前記外側挿入部の上部に前記被係止部が設けられているバスケットとしたことを特徴とする。
【０００８】
請求項３に係る考案は、請求項１又は２に記載の構成に加えて、長辺の前記内側面又は外側面の上部に、複数の別角度被係止部を有しており、前記底面の短辺に沿った位置で、前記バスケットを前記第１状態から水平方向に９０°回転させた状態で上方から重ねたときに複数の前記別角度被係止部の位置にあって該別角度被係止部に支持される複数の別角度係止部を有しており、上側の前記バスケットを前記第１状態から水平方向に９０°回転させた状態で２つの前記バスケットを上下に積み重ねた際に、下側の前記バスケットの複数の前記別角度被係止部の上に、上側の前記バスケットの複数の前記別角度係止部が係止されて、下側の前記バスケットの上部に上側の前記バスケットの下部が位置し、かつ互い違いに重なる第３状態となるように構成されたバスケットとしたことを特徴とする。
【０００９】
請求項４に係る考案は、請求項３に記載の構成に加えて、２つの前記バスケットを前記第３状態で上下に積み重ねた際に、下側の前記バスケットの複数の前記別角度被係止部と上側の前記バスケットの複数の前記別角度係止部とが係止された状態で、上側の前記バスケットが短辺に沿った方向に所定量スライド移動するように構成されたバスケットとしたことを特徴とする。
【考案の効果】
【００１０】
請求項１の考案によれば、一の方向に重ねると上側の下部が下側の上部に位置するような位置関係で積み重ねることができ、逆の方向に重ねると深く重なって省スペースでの収納ができる。その結果、簡単な構成でバスケットのみで積み重ね収納にも積み重ね使用にも対応することができる。
【００１１】
請求項２の考案によれば、内側挿入部の下部に係止部を設け、外側挿入部の上部に被係止部を設けることで、より効率良く積み重ね状態を形成することができる。
【００１２】
請求項３の考案によれば、積み重ねる方向を上下で逆方向にして上側の下部が下側の上部に位置するようにして浅く重ねて使用する第１状態と、上下で同じ方向（第１状態から上側を１８０°回転）にして深く重ねて収納する第２状態の他、上下で互い違い（第１状態から上側を９０°回転）にして上側の下部が下側の上部に位置するようにして浅く重ねて使用する第３状態にもすることができる。その結果、使用状況等によって積み重ねのバリエーションを増やすことができる。特に互い違いに積み重ねた場合には、上下で隙間が生じる形で積み重なるため、積み重ねた状態で下側のバスケットに対して物を出し入れすることができる等、利便性の良い積み重ね状態を形成することができる。
【００１３】
請求項４の考案によれば、互い違いに積み重ねたときに、下側のバスケットに対して上側のバスケットが短辺に沿った方向にスライド移動することで、バスケットの積み重ね状態を維持したままで下側のバスケットの上部開口を広げることができ、下側のバスケットに対してより簡単に物を出し入れすることができる。
【図面の簡単な説明】
【００１４】
【図１】この考案の実施の形態に係るバスケットを示す斜視図である。
【図２】同実施の形態に係るバスケットの取っ手を立ち上げた状態を示す斜視図である。
【図３】同実施の形態に係るバスケットを裏面から見た斜視図である。
【図４】同実施の形態に係るバスケットを第１状態で積み重ねた状態を示す斜視図である。
【図５】同実施の形態に係るバスケットを第２状態で積み重ねた状態を示す斜視図である。
【図６】同実施の形態に係るバスケットを第３状態で積み重ねた状態を示す斜視図である。
【図７】同実施の形態に係るバスケットを第３状態で積み重ねた状態を示す正面図である。
【図８】同実施の形態に係るバスケットを第３状態で積み重ねて上側のバスケットをずらした状態を示す正面図である。
【図９】同実施の形態に係るバスケットの内底面の様子を示す斜視図である。
【図１０】同実施の形態に係るバスケットに仕切板を取り付けた状態を示す斜視図である。
【考案を実施するための形態】
【００１５】
この考案の実施の形態について、図１〜図１０を用いて説明する。
【００１６】
図１〜図３は、本実施の形態のバスケット１０を示す斜視図である。
【００１７】
このバスケット１０は、上部が開口された開口部１５となった平面視略長方形のボックス形状のバスケット１０であり、向かい合う長辺１６と、同じく向かい合う短辺１７とで、４つの側面部１０ａを構成し、それらの下部に底面部１０ｂが形成されている。また、図２に示すように、長辺１６の上部には、２本の略コ字状の取っ手１８が回動自在に取り付けられている。
【００１８】
また、このバスケット１０は、上下方向に複数積み重ねることができるようになっており、特に、図４に示すように上下のバスケット１０の長辺１６同士、短辺１７同士が平行に位置して上側のバスケット１０の下部が下側のバスケット１０の上部に位置するように積み重なる第１状態（使用状態）、図５に示すように上下のバスケット１０の長辺１６同士、短辺１７同士が平行に位置して（第１状態に対して上側のバスケット１０を水平方向に１８０°回転させた状態となる）上側のバスケット１０の下部が下側のバスケット１０の下部に重なるように積み重なる第２状態（収納状態）、図６〜図８に示すように上下のバスケット１０の長辺１６同士、短辺１７同士が直交する位置となって（第１状態に対して上側のバスケット１０を水平方向に９０°回転させた状態となる）上側のバスケット１０の下部が下側のバスケット１０の上部に位置するように積み重なる第３状態（使用状態）の３通りの積み重ね方ができるように構成されている。以下、積み重ねに関する構成を中心に詳細に説明する。
【００１９】
図３，図４に示すように、バスケット１０の底面部１０ｂにおける裏面である底面１１の周縁部には、後述する複数の被係止部３１，３２に係止するための複数の係止部２１，２２を有している。具体的には、長辺１６の一側の角部の双方に、外側に突出するように形成された第１係止部２１が形成されており、長辺１６の対向する他側の角部から内側に寄ったところの双方に、外側に突出するように形成された第２係止部２２が形成されている。これら係止部２１，２２は、積み重ね時に自重や上からの重量を安定して支持する必要があるため、リブを他より多く配する等の補強構造がとられている。
【００２０】
また、図１，図４に示すように、バスケット１０の内側面１２の開口部１５側である上部には、前記した複数の係止部２１，２２を係止するための複数の被係止部３１，３２を有している。具体的には、長辺１６の他側（第２係止部２２側）の角部の双方において、バスケット１０を上方から重ねたときに前記した複数の第１係止部２１が丁度重なる位置に、第１係止部２１を係止して支持するための複数の被係止部３１を有している。また、長辺１６の他側と対向する一側（第１係止部２１側）の角部から内側に寄ったところの双方において、バスケット１０を上方から重ねたときに前記した複数の第２係止部２２が丁度重なる位置に、第２係止部２２を係止するための複数の第２被係止部３２を有している。
【００２１】
そして、図４に示すように、２つのバスケット１０を上下に積み重ねた際に、下側のバスケット１０と長辺１６及び短辺１７の位置が平行となり、かつ、下側と上側の向きが水平方向で逆向きとなるように積み重ねることで、下側のバスケット１０の複数の第１被係止部３１の上に、上側のバスケット１０の複数の第１係止部２１が係止され、下側のバスケット１０の複数の第２被係止部３２の上に、上側のバスケット１０の複数の第２係止部２２が係止され、下側のバスケット１０の上部に上側のバスケット１０の下部が位置するように重なる第１状態となるように構成されている。
【００２２】
また、図１，図５に示すように、バスケット１０の内側面１２の長辺１６の一側（第１係止部２１側）には、上側のバスケット１０の第１係止部２１を下側のバスケット１０の下部まで挿入可能とする第１内側挿入部４１が形成されている。ここでは、第１内側挿入部４１としては、平面視で第１係止部２１と略同形状の縦穴状の空間が形成されている。またここでは、第１内側挿入部４１の下部に第１係止部２１が設けられている。
【００２３】
また、図１，図５に示すように、バスケット１０の内側面１２の長辺１６の他側（第２係止部２２側）には、上側のバスケット１０の第２係止部２２を下側のバスケット１０の下部まで挿入可能とする第２内側挿入部４２が形成されている。ここでは、第２内側挿入部４２としては、平面視で第２係止部２２と略同形状の縦穴状の空間が形成されている。またここでは、第２内側挿入部４２の下部に第２係止部２２が設けられている。
【００２４】
また、図１，図５に示すように、バスケット１０の外側面１３の長辺１６の他側（第２係止部２２側）には、下側のバスケット１０の第１被係止部３１を上側のバスケット１０の上部まで挿入可能とする第１外側挿入部５１が形成されている。ここでは、第１外側挿入部５１としては、平面視で第１被係止部３１と略同形状の縦穴状の空間が形成されている。またここでは、第１外側挿入部５１の上部に第１被係止部３１が設けられている。
【００２５】
また、図１，図５に示すように、バスケット１０の外側面１３の長辺１６の一側（第１係止部２１側）には、下側のバスケット１０の第２被係止部３２を上側のバスケット１０の上部まで挿入可能とする第２外側挿入部５２が形成されている。ここでは、第２外側挿入部５２としては、平面視で第２被係止部３２と略同形状の縦穴状の空間が形成されている。またここでは、第２外側挿入部５２の上部に第２被係止部３２が設けられている。
【００２６】
そして、図５に示すように、２つのバスケット１０を上下に積み重ねた際に、下側のバスケット１０と長辺１６及び短辺１７の位置が平行となり、かつ、下側と上側の向きが水平方向で同じ向きとなるように積み重ねる（第１状態に対して上側のバスケット１０を水平方向に１８０°回転させた状態となる）ことで、上側のバスケット１０の複数の第１係止部２１が、下側のバスケット１０の複数の第１内側挿入部４１に挿入され、上側のバスケット１０の複数の第２係止部２２が、下側のバスケット１０の複数の第２内側挿入部４２に挿入され、下側のバスケット１０の複数の第１被係止部３１が、上側のバスケット１０の複数の第１外側挿入部５１に挿入され、下側のバスケット１０の複数の第２被係止部３２が、上側のバスケット１０の複数の第２外側挿入部５２に挿入され、上側のバスケット１０の底面１１が下側のバスケット１０の内底面（底面部１０ｂにおける表面である内側の底面）１４に近づくように積み重なる第２状態となるように構成されている。
【００２７】
また、図３，図６〜図８に示すように、バスケット１０の底面部１０ｂにおける裏面である底面１１の短辺１７に沿った位置には、後述する複数の別角度被係止部７１に係止するための複数の別角度係止部６１を有している。具体的には、底面１１の短辺１７側の双方に短辺１７に沿って下方に突出形成された所定幅を有する略板状の別角度係止部６１が形成されている。
【００２８】
また、図３，図６〜図８に示すように、バスケット１０の内側面１２又は外側面１３の上部に、前記した複数の別角度係止部６１を係止するための複数の別角度被係止部７１を有している。具体的には、長辺１６の内側面１２又は外側面１３（ここでは外側面１３）の上部に、別角度係止部６１の幅より長い幅を有する切欠部からなる別角度被係止部７１を有しており、ここでは、長辺１６の中央部からその両側の取っ手１８の一部に掛けて形成されている。
【００２９】
そして、図６〜図８に示すように、２つのバスケット１０を上下に積み重ねた際に、下側のバスケット１０の長辺１６と上側のバスケット１０の短辺１７の位置が平行となる（上下のバスケット１０の長辺１６同士の位置が直交する）ように積み重ねることで、下側のバスケット１０の複数の別角度被係止部７１の外側に、上側のバスケット１０の複数の別角度係止部６１が係止され、上側のバスケット１０の別角度係止部６１同士で下側のバスケット１０の別角度被係止部７１同士を挟む形となって、下側のバスケット１０の上部に上側のバスケット１０の下部が互い違いの形で係止支持されるように重なる第３状態となるように構成されている。
【００３０】
また、ここでは、別角度係止部６１と別角度被係止部７１とが固定されておらず、別角度被係止部７１の幅の分だけ上側の別角度係止部６１がスライド移動可能となっている。そのため、図７の状態から図８の状態のように、上側のバスケット１０の重なる位置をスライド移動させてずらすことができるようになっている。なお、別角度被係止部７１の両端（ここでは取っ手１８部分）に、ストッパ部７３，７４が形成されており、図８のように別角度係止部６１がストッパ部７３に当接するまでスライド移動すると、それ以上はスライドしないようにスライドを停止させるようになっている。そのため、スライド移動し過ぎて上側のバスケット１０が下側のバスケット１０から落下するという不具合は生じないようになっている。
【００３１】
また、本実施の形態のバスケット１０には、図９に示すように、内底面１４に２本の平行な突起を配した配置溝８１が形成されており、また、配置溝８１から延びる位置の長辺１６の上部に、引っ掛け部８２を有している。これらに、図１０に示すように、仕切板８５を配設することができるようになっており、この仕切板８５を配設することで、簡単にバスケット１０の内部を仕切ることができるようになっている。この仕切板８５は、第１状態及び第３状態に重ねた状態でも配設可能となっており、上下にバスケット１０を積み重ねた状態でも仕切も設けた利便性よく使用することができる。
【００３２】
以上のように、本実施の形態のバスケット１０によれば、一の方向（第１状態）に重ねると上側の下部が下側の上部に位置するような位置関係で積み重ねることができ、逆の方向（第２状態）に重ねると深く重なって省スペースでの収納ができる。その結果、簡単な構成でバスケット１０のみで積み重ね収納にも積み重ね使用にも対応することができる。
【００３３】
また、本実施の形態では、内側挿入部４１，４２の下部に係止部２１，２２を設け、外側挿入部５１，５２の上部に被係止部３１，３２を設けることで、より効率良く積み重ね状態を形成することができる。
【００３４】
また、本実施の形態では、積み重ねる方向を上下で逆方向にして上側の下部が下側の上部に位置するようにして浅く重ねて使用する第１状態と、上下で同じ方向（第１状態から上側を１８０°回転）にして深く重ねて収納する第２状態の他、上下で互い違い（第１状態から上側を９０°回転）にして上側の下部が下側の上部に位置するようにして浅く重ねて使用する第３状態にもすることができる。その結果、使用状況等によって積み重ねのバリエーションを増やすことができる。特に互い違いに積み重ねた場合には、上下で隙間が生じる形で積み重なるため、積み重ねた状態で下側のバスケット１０に対して物を出し入れすることができる等、利便性の良い積み重ね状態を形成することができる。
【００３５】
また、本実施の形態では、互い違いに積み重ねたときに、下側のバスケット１０に対して上側のバスケット１０が短辺１７に沿った方向にスライド移動することで、バスケット１０の積み重ね状態を維持したままで下側のバスケット１０の上部開口を広げることができ、下側のバスケット１０に対してより簡単に物を出し入れすることができる。
【００３６】
なお、以上説明した各実施の形態は、本考案の理解を容易にするために記載されたものであって、本考案を限定するために記載されたものではない。
【００３７】
例えば、前記した実施の形態では、上下に積み重ねたバスケットが浅く重なって使用される第１状態、深く重なって収納される第２状態、互い違いに重なって使用される第３状態の３つの状態で積み重ねることができるように構成されていたが、これに限るものではなく、第１状態と第２状態の重なり方のみのパターンがあっても良い。
【００３８】
また、第３状態での上側のバスケットのスライド移動についても、必ずできるようになっていなくても良く、場合によってはスライド移動しないで１箇所に固定されて第３状態で積み重なるパターンがあっても良い。
【００３９】
また、前記した実施の形態では、長辺側に係止部や被係止部を配設していたが、これに限るものではなく、短辺側に係止部や被係止部を配設するようになっていても良い。その際には、内側挿入部や外側挿入部についても、係止部や被係止部に合わせて短辺側に配設するように構成するものである。
【符号の説明】
【００４０】
１０  バスケット
１０ａ  側面部
１０ｂ  底面部
１１  底面
１２  内側面
１３  外側面
１４  内底面
１５  開口部
１６  長辺
１７  短辺
１８  取っ手
２１  第１係止部（係止部）
２２  第２係止部（係止部）
３１  第１被係止部（被係止部）
３２  第２被係止部（被係止部）
４１  第１内側挿入部（内側挿入部）
４２  第２内側挿入部（内側挿入部）
５１  第１外側挿入部（外側挿入部）
５２  第２外側挿入部（外側挿入部）
６１  別角度係止部
７１  別角度被係止部
７３，７４  ストッパ部
８１  配置溝
８２  引っ掛け部
８５  仕切板
【図１】
0003220337.tif 000003
【図２】
0003220337.tif 000004
【図３】
0003220337.tif 000005
【図４】
0003220337.tif 000006
【図５】
0003220337.tif 000007
【図６】
0003220337.tif 000008
【図７】
0003220337.tif 000009
【図８】
0003220337.tif 000010
【図９】
0003220337.tif 000011
【図１０】
0003220337.tif 000012